(57)【要約】  管理対象である被験者が、より手軽且つ正確にその健康状態を直接測定することが可能で、さらに、その健康状態の測定データを利用して、より確実に、専門機関が被験者の健康状態を維持または改善できる技術を提供する。ラマン分光装置２及び携帯端末３からなる測定端末４と、サーバー５と、病院端末７と、を備える健康状態管理システムであって、携帯端末３は、ラマン分光測定の測定データをサーバー５に送信し、サーバー５は、受信した測定データから所定の判定アルゴリズムに基づいて歯の状態を判定し、携帯端末３及び病院端末７に送信する。また、サーバー５は、判定された状態と登録情報に基づいて、通院すべき歯科医院を選択し、携帯端末３に送信する。さらに、携帯端末３と病院端末７で予約日時を決定可能として予約・受付支援も行う。
2019106819.tif 000002
【特許請求の範囲】
【請求項１】
光を被験者の体の一部に照射するとともに該被験者の体からの散乱光または反射光を検出して分光測定する分光測定装置と、前記分光測定装置の出力信号が入力される被験者端末と、前記被験者端末と通信可能な情報処理装置と、前記被験者の健康状態を管理する管理機関に設置され前記被験者端末及び前記情報処理装置と通信可能な管理機関端末と、を備える健康状態管理システムであって、
前記被験者端末は、
前記分光測定装置による測定結果が入力される入力部と、
前記入力部に入力された前記測定結果を前記情報処理装置に送信する送信部と、を有し、
前記情報処理装置は、
前記被験者端末の送信部から送信された前記測定結果を受信する測定情報受信部と、
前記測定情報受信部が受信した前記測定結果と所定のアルゴリズムに基づいて前記被験者の健康状態を判定する判定部と、
前記判定部により判定された結果の情報である判定情報を送信する判定情報送信部と、を有し、
前記管理機関端末は、
前記情報処理装置の判定情報送信部により送信された前記判定情報を受信する判定情報受信部を有し、
前記情報処理装置は、
前記判定情報に基づいて、前記被験者の健康状態の管理予定を定める予定計画部と、
前記予定計画部が定めた前記被験者の健康状態の管理予定の情報である予定情報を前記被験者端末および／または前記管理機関端末に送信する予定情報送信部を、さらに有し、
前記被験者端末は、
前記情報処理装置の前記判定情報送信部によって送信された前記判定情報を受信する第２判定情報受信部と、
前記情報処理装置の前記予定情報送信部によって送信された前記予定情報を受信する予定情報受信部と、をさらに有し、
前記管理機関端末は、
前記情報処理装置の前記予定情報送信部によって送信された前記予定情報を受信する第２予定情報受信部を、さらに有することを特徴とする、健康状態管理システム。
【請求項２】
前記被験者端末は、前記管理機関端末に対し、前記被験者の健康状態に関する付加情報を送信する付加情報送信部を有し、
前記管理機関端末は、前記被験者端末の付加情報送信部から送信された前記付加情報を受信する付加情報受信部をさらに有することを特徴とする、請求項１に記載の健康状態管理システム。
【請求項３】
前記管理機関端末は、前記判定情報に基づき、前記被験者に対して前記管理機関による管理を受けるよう誘導する誘導情報を送信する誘導情報送信部をさらに有し、
前記被験者端末は、前記誘導情報送信部が送信した誘導情報を受信する誘導情報受信部をさらに有することを特徴とする、請求項１または２に記載の健康状態管理システム。
【請求項４】
前記被験者端末は、前記被験者の個人情報を前記情報処理装置に送信する個人情報送信部をさらに有し、
前記管理機関端末は、前記管理機関の機関情報を前記情報処理装置に送信する機関情報送信部をさらに有し、
前記情報処理装置は、
前記個人情報を受信する個人情報受信部と、
前記機関情報を受信する機関情報受信部と、
一以上の前記個人情報を記憶する個人情報記憶部と、
一以上の前記機関情報を記憶する機関情報記憶部と、をさらに有し、
前記予定計画部は、前記個人情報記憶部に記憶された前記被験者の個人情報と、前記機関情報記憶部に記憶された前記管理機関の機関情報に基づいて、前記被験者の健康状態の管理予定を定めることを特徴とする、請求項１から３のいずれか一項に記載の健康状態管理システム。
【請求項５】
前記機関情報は、前記管理機関の名称、所在地、及び連絡先の情報を含み、
前記個人情報は、前記被験者の居所の情報を含み、
前記予定計画部は、所在地が前記被験者の居所により近い管理機関を選択し、
前記予定情報は、選択された前記管理機関の名称、所在地、連絡先の少なくともいずれかを含むことを特徴とする、請求項４に記載の健康状態管理システム。
【請求項６】
前記被験者端末は、前記予定情報に含まれる、前記予定計画部が選択した前記管理機関への予約を希望する予約希望日を含む予約情報を、前記情報処理装置および／または前記管理機関端末に送信する予約情報送信部をさらに有し、
前記情報処理装置および／または前記管理機関端末は、前記予約情報を受信する予約情報受信部をさらに有することを特徴とする、請求項１から５のいずれか一項に記載の健康状態管理システム。
【請求項７】
前記分光測定装置は、前記被験者からのラマン散乱光をラマン分光技術を用いて分光測定するラマン分光装置であることを特徴とする、請求項１から６の何れか一項に記載の健康状態管理システム。
【請求項８】
前記情報処理装置は、所定周波数におけるラマン散乱光強度、ピーク幅、ピーク位置の少なくともいずれかに所定の演算を加えて求められる計算値と、前記被験者の健康状態との関係を格納した判定基準記憶部を有し、
前記判定部は、前記判定基準記憶部に記憶された前記関係に、前記測定情報受信部において受信した前記測定結果を参照し、前記測定結果に対応する、前記被験者の健康状態を導出するアルゴリズムに基づいて、前記被験者の健康状態を判定することを特徴とする、請求項７に記載の健康状態管理システム。
【請求項９】
前記被験者の体の一部は前記被験者の歯であり、
前記健康状態は前記歯の状態であり、
前記管理機関は歯科医院であることを特徴とする請求項１から８のいずれか一項に記載の健康状態管理システム。
【請求項１０】
光を被験者の体の一部に照射するとともに該被験者の体からの散乱光または反射光を検出して分光測定する分光測定装置と、前記分光測定装置の出力信号が入力される被験者端末と、前記被験者端末と通信可能な情報処理装置と、前記被験者の健康状態を管理する管理機関に設置され前記被験者端末及び前記情報処理装置と通信可能な管理機関端末と、を備える健康状態管理システムの制御方法であって、
前記分光測定装置によって、光を被験者の体の一部に対する分光測定を行う分光測定ステップと、
前記分光測定ステップによる測定結果を前記被験者端末から前記情報処理装置に送信する測定結果送信ステップと、
前記測定結果と所定のアルゴリズムに基づいて、前記情報処理装置において前記被験者の健康状態を判定する判定ステップと、
前記判定ステップで判定された結果の情報である判定情報を前記情報処理装置から前記被験者端末に送信する判定情報送信ステップと、
前記判定情報に基づいて、前記被験者の健康状態の管理予定を定める予定計画ステップと、
前記予定計画ステップで定められた判定された前記被験者の健康状態の管理予定の情報である予定情報を前記情報処理装置から前記被験者端末に送信する予定情報送信ステップと、
を有することを特徴とする、健康管理システムの制御方法。
【請求項１１】
前記被験者端末から前記管理機関端末に対し、前記被験者の健康状態に関する付加情報を送信する付加情報送信ステップをさらに有することを特徴とする、請求項１０に記載の健康状態管理システムの制御方法。
【請求項１２】
前記判定ステップで判定された結果の情報である判定情報を前記情報処理装置から前記管理機関端末に送信する判定情報送信ステップと、
前記判定情報に基づき、前記被験者に対して前記管理機関による管理を受けるよう誘導する誘導情報を前記管理機関端末から前記被験者端末に送信する誘導情報送信ステップと、
をさらに有することを特徴とする、請求項１０または１１に記載の健康状態管理システムの制御方法。
【請求項１３】
前記被験者端末から、前記被験者の個人情報を前記情報処理装置に送信する個人情報送信ステップと、
前記管理機関端末から、前記管理機関の機関情報を前記情報処理装置に送信する機関情報送信ステップと、
前記情報処理装置において一以上の前記個人情報を受信するとともに記憶してデータベース化する個人情報記憶ステップと、
前記管理機関端末において一以上の前記機関情報を受信するとともに記憶してデータベース化する機関情報記憶ステップと、をさら有し、
前記予定計画ステップにおいて、前記判定情報と、前記個人情報記憶ステップにおいてデータベース化された前記被験者の個人情報と、前記機関情報記憶ステップにおいてデータベース化された前記管理機関の機関情報とに基づいて、前記被験者の健康状態の管理予定を定めることを特徴とする、請求項１０から１２のいずれか一項に記載の健康状態管理システムの制御方法。
【請求項１４】
前記機関情報は、前記管理機関の名称、所在地、及び連絡先の情報を含み、
前記個人情報は、前記被験者の居所の情報を含み、
前記予定計画ステップにおいて、所在地が前記被験者の居所により近い管理機関が選択され、前記予定情報は、選択された前記管理機関の名称、所在地、連絡先の少なくともいずれかを含むことを特徴とする、請求項１０から１３のいずれか一項に記載の健康状態管理システムの制御方法。
【請求項１５】
前記被験者端末から、前記予定情報に含まれる、前記予定計画ステップにおいて選択された前記管理機関への予約を希望する予約希望日を含む予約情報を、前記情報処理装置および／または前記管理機関端末に送信する予約情報送信ステップをさらに有することを特徴とする、請求項１０から１４のいずれか一項に記載の健康状態管理システムの制御方法。
【請求項１６】
前記分光測定ステップにおいては、前記被験者からのラマン散乱光をラマン分光技術を用いて分光測定するラマン分光測定を行うことを特徴とする、請求項１０から１５の何れか一項に記載の健康状態管理システムの制御方法。
【請求項１７】
前記情報処理装置が、所定周波数におけるラマン散乱光強度、ピーク幅、ピーク位置の少なくともいずれかに所定の演算を加えて求められる計算値と、前記被験者の健康状態との関係を格納した判定基準を記憶する、判定基準形成ステップをさらに有し、
前記所定のアルゴリズムは、前記判定基準に格納された前記関係に、前記測定結果送信ステップにおいて前記情報処理装置に送信された前記測定結果を参照し、前記測定結果に対応する、前記被験者の健康状態を導出するアルゴリズムであることを特徴とする、請求項１０から１６のいずれか一項に記載の健康状態管理システムの制御方法。
【請求項１８】
前記被験者の体の一部は前記被験者の歯であり、
前記健康状態は前記歯の状態であり、
前記管理機関は歯科医院であることを特徴とする請求項１０から１７のいずれか一項に記載の健康状態管理システムの制御方法。
【請求項１９】
前記被験者端末、前記情報処理装置及び、前記管理機関端末のうち少なくともいずれか一に、請求項１０から１８のいずれか一項に記載の健康状態管理システムの制御方法を実行させるための、プログラム。
【発明の詳細な説明】
【技術分野】
【０００１】
本発明は、分光技術を応用して被験者の健康状態を測定及び管理する健康状態管理システム、健康状態管理システムの制御方法、及びプログラムに関する。
【背景技術】
【０００２】
従来から、分光技術を用いて物性値を解析する手法は公知であった。この技術に関しては、例えば、特定の高分子材料に関して予め準備されたラマンスペクトル値と物性値との関係を表す検量線をリファレンスとして特定の高分子材料と同種の被解析高分子材料の物性値を解析する方法であって、被解析高分子材料のラマンスペクトルを測定する工程と、このラマンスペクトルからリファレンスにおけるのと同種のスペクトル値を算出する工程と、このスペクトル値に対応する物性値をリファレンスを用いて解析する工程とからなる高分子材料の物性値解析方法が知られている（特許文献１参照）。【０００３】
一方、被験者の健康管理のためのシステムとしては、検出光を食品に照射し、食品から反射する反射光を受光する分光分析器と、反射光に基づき、食品の成分分析を実施する成分分析部と、食品の質量を検出する質量検出部と、複数の取得者をそれぞれ特定する個別情報を取得することにより各取得者を識別する識別部と、各取得者の個別情報と、各取得者が取得した食品の成分分析の結果とを、取得者単位に個別に記憶する記憶部とを有するものが公知である（特許文献２参照）。これは、複数の取得者が取得した検査対象物の成分分析結果を取得者単位に管理する健康管理システムである。【０００４】
また、被検者のこめかみに設置されるセンサ筺体を備え、センサ筺体は、被検者のこめかみ近傍の唾液線の機能変化に伴うヘモグロビン信号変化を計測する生体光計測装置と、被検者の咀嚼に伴うこめかみの動きを検知する咀嚼動検知装置とセンサ制御装置とを備え、生体光計測装置と咀嚼動検知装置を同時に動作させて、計測結果を運営会社システムに送信し、この運営会社システムから取得したレコメンド情報とともに計測結果を表示装置に表示するシステムが公知である（特許文献３参照）。【０００５】
上記の従来技術は、管理対象となる被験者がより手軽且つ正確に健康状態を直接測定できたものとは言えず。また、その健康状態の測定データを有効利用して、医療機関などの専門機関によって、被験者の健康状態を効率的に維持または改善するものではなかった。
【先行技術文献】
【特許文献】
【０００６】
【特許文献１】特許第４３８４５７１号公報
【特許文献２】特開２０１４−１６３８７２号公報
【特許文献３】特開２０１２−２０８７３５号公報
【発明の概要】
【発明が解決しようとする課題】
【０００７】
本発明は上記のような状況に鑑みて発明されたもので、その目的は、管理対象である被験者が、より手軽且つ正確にその健康状態を直接測定することが可能で、さらに、その健康状態の測定データを利用して、より効率的に、専門機関が被験者の健康状態を維持または改善できる技術を提供することである。
【課題を解決するための手段】
【０００８】
上記の課題を解決するための本発明は、光を被験者の体の一部に照射するとともに該被験者の体からの散乱光または反射光を検出して分光測定する分光測定装置と、前記分光測定装置の出力信号が入力される被験者端末と、前記被験者端末と通信可能な情報処理装置と、前記被験者の健康状態を管理する管理機関に設置され前記被験者端末及び前記情報処理装置と通信可能な管理機関端末と、を備える健康状態管理システムであって、
前記被験者端末は、
前記分光測定装置による測定結果が入力される入力部と、
前記入力部に入力された前記測定結果を前記情報処理装置に送信する送信部と、を有し、
前記情報処理装置は、
前記被験者端末の送信部から送信された前記測定結果を受信する測定情報受信部と、
前記測定情報受信部が受信した前記測定結果と所定のアルゴリズムに基づいて前記被験者の健康状態を判定する判定部と、
前記判定部により判定された結果の情報である判定情報を送信する判定情報送信部と、を有し、
前記管理機関端末は、
前記情報処理装置の判定情報送信部により送信された前記判定情報を受信する判定情報受信部を有し、
前記情報処理装置は、
前記判定情報に基づいて、前記被験者の健康状態の管理予定を定める予定計画部と、
前記予定計画部が定めた前記被験者の健康状態の管理予定の情報である予定情報を前記被験者端末および／または前記管理機関端末に送信する予定情報送信部を、さらに有し、
前記被験者端末は、
前記情報処理装置の前記判定情報送信部によって送信された前記判定情報を受信する第２判定情報受信部と、
前記情報処理装置の前記予定情報送信部によって送信された前記予定情報を受信する予定情報受信部と、をさらに有し、
前記管理機関端末は、
前記情報処理装置の前記予定情報送信部によって送信された前記予定情報を受信する第２予定情報受信部を、さらに有することを特徴とする、健康状態管理システムである。【０００９】
これによれば、被験者は、分光測定装置で体の一部に対して分光測定を行い、その測定結果を情報処理装置に送信するだけで、健康状態の判定結果を自動的に取得することができる。また、健康状態の判定結果に基づいた管理予定について予定情報を自動的に得ることができる。よって、被験者は、より迅速に、専門機関に健康状態を維持または改善してもらうことが可能となる。ここで、健康状態の判定結果に基づいたとは、判定結果において、管理が必要な状態と判定されることを含む。【００１０】
ここで、分光測定は、単純に被験者の体に光を照射してその反射光の分光特性を調べるものであってもよいし、被験者の体の一部における分子構造に応じて励起される散乱光のピークを検出するものであってもよい。また、ここで健康状態としては、被験者の歯の状態、皮膚の年齢、皮膚の状態から推定できるＢＭＩや脂肪割合、骨粗鬆症の状態、骨の壊死の状態等を例示できるが、これらに限られない。【００１１】
また、上記において、管理機関としては、病院、各種診療所、歯科医院、カウンセラー等の専門機関、老人ホーム等の介護施設を例示できる。また、健康状態の管理予定としては、管理機関への通院予定、管理機関の専門家との面談予定等を含む。【００１２】
また、本発明においては、前記被験者端末は、前記管理機関端末に対し、前記被験者の健康状態に関する付加情報を送信する付加情報送信部を有し、
前記管理機関端末は、前記被験者端末の付加情報送信部から送信された前記付加情報を受信する付加情報受信部をさらに有するようにしてもよい。【００１３】
ここで、付加情報とは、分光測定装置で測定した測定結果に関連した症状についての説明、画像等であってもよい。あるいは、関連する相談メッセージ等であってもよい。これにより、管理機関と被験者の間で、より詳細で柔軟な情報の交換をすることができ、被験者の健康状態の維持または管理をより確実に行うことが可能となる。【００１４】
また、本発明においては、前記管理機関端末は、前記判定情報に基づき、前記被験者に対して前記管理機関による管理を受けるよう誘導する誘導情報を送信する誘導情報送信部をさらに有し、
前記被験者端末は、前記誘導情報送信部が送信した誘導情報を受信する誘導情報受信部をさらに有するようにしてもよい。【００１５】
ここで、誘導情報とは、例えば病院から被験者への来院の案内メッセージであってもよい。また、病院等から被験者への服薬の指導メッセージ等であってもよい。これによれば、管理機関から被験者への、よりきめ細かい案内や指導を行うことができ、さらに確実に被験者の健康状態を維持または管理することが可能である。【００１６】
また、本発明においては、前記被験者端末は、前記被験者の個人情報を前記情報処理装置に送信する個人情報送信部をさらに有し、
前記管理機関端末は、前記管理機関の機関情報を前記情報処理装置に送信する機関情報送信部をさらに有し、
前記情報処理装置は、
前記個人情報を受信する個人情報受信部と、
前記機関情報を受信する機関情報受信部と、
一以上の前記個人情報を記憶する個人情報記憶部と、
一以上の前記機関情報を記憶する機関情報記憶部と、をさらに有し、
前記予定計画部は、前記個人情報記憶部に記憶された前記被験者の個人情報と、前記機関情報記憶部に記憶された前記管理機関の機関情報に基づいて、前記被験者の健康状態の管理予定を定めるようにしてもよい。【００１７】
すなわち、本発明に係る健康状態管理システムにおいては、被験者端末から情報処理装置に被験者の個人情報を送信して登録する。また、管理機関端末から情報処理装置に管理機関の機関情報を送信して登録する。情報処理装置においてはこれらの情報をデータベース化する。そして、情報処理装置においては、上述した判定結果に加え、データベース化された被験者の個人情報と管理機関の機関情報とに基づいて、被験者の健康状態の管理予定が定められる。例えば、判定結果に関連する専門の病院で、被験者の居所と同じ地域の病院に通院するような管理予定を定めてもよい。【００１８】
また、本発明においては、前記機関情報は、前記管理機関の名称、所在地、及び連絡先の情報を含み、
前記個人情報は、前記被験者の居所の情報を含み、
前記予定計画部は、所在地が前記被験者の居所により近い管理機関を選択し、
前記予定情報は、選択された前記管理機関の名称、所在地、連絡先の少なくともいずれかを含むようにしてもよい。これによれば、より容易に、被験者の健康状態の管理予定を定めることが可能である。【００１９】
また、本発明においては、前記被験者端末は、前記予定情報に含まれる、前記予定計画部が選択した前記管理機関への予約を希望する予約希望日を含む予約情報を、前記情報処理装置および／または前記管理機関端末に送信する予約情報送信部をさらに有し、
前記情報処理装置および／または前記管理機関端末は、前記予約情報を受信する予約情報受信部をさらに有するようにしてもよい。【００２０】
これにより、被験者は情報処理装置から送信された予定情報によって、より容易に、管理機関への予約を確定することができる。これにより、より迅速に被験者の健康状態の維持または改善を推進することが可能である。【００２１】
また、本発明においては、前記分光測定装置は、前記被験者からのラマン散乱光をラマン分光技術を用いて分光測定するラマン分光装置としてもよい。これによれば、被験者の体の一部における分子構造により相関が高い分光測定が可能となり、より精度のよい健康状態の判定が可能になる。【００２２】
また、本発明においては、前記情報処理装置は、所定周波数におけるラマン散乱光強度、ピーク幅、ピーク位置の少なくともいずれかに所定の演算を加えて求められる計算値と、前記被験者の健康状態との関係を格納した判定基準記憶部を有し、
前記判定部は、前記判定基準記憶部に記憶された前記関係に、前記測定情報受信部において受信した前記測定結果を参照し、前記測定結果に対応する、前記被験者の健康状態を導出するアルゴリズムに基づいて、前記被験者の健康状態を判定するようにしてもよい。【００２３】
ここで、ラマン散乱分光測定において、特定の波数シフトにおけるピーク位置、ピークの強度、ピーク幅のうちの少なくともいずれかを測定し、これらに所定の演算を加えた計算値が、生体試料の健康状態と高い相関を有することが分かってきた。本発明においては、この高い相関を有する、前記の計算値と生体試料の健康状態との関係を用いて、被験者の健康状態を判定する。これによれば、非常に精度よく被験者の健康状態を判定することが可能である。【００２４】
また、本発明においては、前記被験者の体の一部は前記被験者の歯であり、
前記健康状態は前記歯の状態であり、
前記管理機関は歯科医院であるようにしてもよい。【００２５】
ここで、ラマン散乱分光測定によって、非常に精度よく歯の診断ができることが分かってきた。よって、本発明によれば、例えば、家庭において、非常に精度よく、歯の状態を判定することが可能となる。また、地域に多数存在する歯科医院と効率よく連系し、効率的に、歯のう蝕等の疾病の予防及び治療を推進することが可能である。【００２６】
また、本発明は、光を被験者の体の一部に照射するとともに該被験者の体からの散乱光または反射光を検出して分光測定する分光測定装置と、前記分光測定装置の出力信号が入力される被験者端末と、前記被験者端末と通信可能な情報処理装置と、前記被験者の健康状態を管理する管理機関に設置され前記被験者端末及び前記情報処理装置と通信可能な管理機関端末と、を備える健康状態管理システムの制御方法であって、
前記分光測定装置によって、光を被験者の体の一部に対する分光測定を行う分光測定ステップと、
前記分光測定ステップによる測定結果を前記被験者端末から前記情報処理装置に送信する測定結果送信ステップと、
前記測定結果と所定のアルゴリズムに基づいて、前記情報処理装置において前記被験者の健康状態を判定する判定ステップと、
前記判定ステップで判定された結果の情報である判定情報を前記情報処理装置から前記被験者端末に送信する判定情報送信ステップと、
前記判定情報に基づいて、前記被験者の健康状態の管理予定を定める予定計画ステップと、
前記予定計画ステップで定められた判定された前記被験者の健康状態の管理予定の情報である予定情報を前記情報処理装置から前記被験者端末に送信する予定情報送信ステップと、
を有することを特徴とする、健康管理システムの制御方法であってもよい。【００２７】
また、本発明は、前記被験者端末から前記管理機関端末に対し、前記被験者の健康状態に関する付加情報を送信する付加情報送信ステップをさらに有することを特徴とする、上記の健康状態管理システムの制御方法であってもよい。【００２８】
また、本発明は、前記判定ステップで判定された結果の情報である判定情報を前記情報処理装置から前記管理機関端末に送信する判定情報送信ステップと、
前記判定情報に基づき、前記被験者に対して前記管理機関による管理を受けるよう誘導する誘導情報を前記管理機関端末から前記被験者端末に送信する誘導情報送信ステップと、
をさらに有することを特徴とする、上記の健康状態管理システムの制御方法であってもよい。【００２９】
また、本発明は、前記被験者端末から、前記被験者の個人情報を前記情報処理装置に送信する個人情報送信ステップと、
前記管理機関端末から、前記管理機関の機関情報を前記情報処理装置に送信する機関情報送信ステップと、
前記情報処理装置において一以上の前記個人情報を受信するとともに記憶してデータベース化する個人情報記憶ステップと、
前記管理機関端末において一以上の前記機関情報を受信するとともに記憶してデータベース化する機関情報記憶ステップと、をさら有し、
前記予定計画ステップにおいて、前記判定情報と、前記個人情報記憶ステップにおいてデータベース化された前記被験者の個人情報と、前記機関情報記憶ステップにおいてデータベース化された前記管理機関の機関情報とに基づいて、前記被験者の健康状態の管理予定を定めることを特徴とする、上記の健康状態管理システムの制御方法であってもよい。【００３０】
また、本発明は、前記機関情報は、前記管理機関の名称、所在地、及び連絡先の情報を含み、
前記個人情報は、前記被験者の居所の情報を含み、
前記予定計画ステップにおいて、所在地が前記被験者の居所により近い管理機関が選択され、前記予定情報は、選択された前記管理機関の名称、所在地、連絡先の少なくともいずれかを含むことを特徴とする、上記の健康状態管理システムの制御方法であってもよい。【００３１】
また、本発明は、前記被験者端末から、前記予定情報に含まれる、前記予定計画ステップにおいて選択された前記管理機関への予約を希望する予約希望日を含む予約情報を、前記情報処理装置および／または前記管理機関端末に送信する予約情報送信ステップをさらに有することを特徴とする、上記の健康状態管理システムの制御方法であってもよい。【００３２】
また、本発明は、前記分光測定ステップにおいては、前記被験者からのラマン散乱光をラマン分光技術を用いて分光測定するラマン分光測定を行うことを特徴とする、上記の健康状態管理システムの制御方法であってもよい。【００３３】
また、本発明は、前記情報処理装置が、所定周波数におけるラマン散乱光強度、ピーク幅、ピーク位置の少なくともいずれかに所定の演算を加えて求められる計算値と、前記被験者の健康状態との関係を格納した判定基準を記憶する、判定基準形成ステップをさらに有し、
前記所定のアルゴリズムは、前記判定基準に格納された前記関係に、前記測定結果送信ステップにおいて前記情報処理装置に送信された前記測定結果を参照し、前記測定結果に対応する、前記被験者の健康状態を導出するアルゴリズムであることを特徴とする、上記の健康状態管理システムの制御方法であってもよい。【００３４】
また、本発明は、前記被験者の体の一部は前記被験者の歯であり、
前記健康状態は前記歯の状態であり、
前記管理機関は歯科医院であることを特徴とする、上記の健康状態管理システムの制御方法であってもよい。【００３５】
また、本発明は、前記被験者端末、前記情報処理装置及び、前記管理機関端末のうち少なくともいずれか一に、上記の健康状態管理システムの制御方法を実行させるための、プログラムであってもよい。【００３６】
なお、本発明においては、上記した課題を解決するための手段を、可能な限り組み合わせて使用することができる。
【発明の効果】
【００３７】
本発明によれば、管理対象である被験者が、より手軽且つ正確にその健康状態を直接測定することが可能となり、さらに、その健康状態の測定データを利用して、より効率的に、専門の管理機関が被験者の健康状態を維持または改善することができる。
【図面の簡単な説明】
【００３８】
【図１】本発明の実施例における健康状態管理システムの概要を示す図である。
【図２】本発明の実施例におけるラマン分光装置の構成の概略図である。
【図３】本発明の実施例における健康状態管理システムのハード構成を示す図である。
【図４】本発明の実施例における健康状態管理システムの機能構成を示す図である。
【図５】本発明の実施例における測定ルーチンのフローチャートである。
【図６】本発明の実施例における判定ルーチンのフローチャートである。
【図７】本発明の実施例における予定計画ルーチンのフローチャートである。
【図８】本発明の実施例における予約受付支援ルーチンのフローチャートである。
【図９】本発明の実施例における歯の表面におけるラマン散乱光強度の波数分布を示すグラフである。
【図１０】本発明の実施例におけるＱｔ値と、歯の損傷度合いの関係を示すグラフである。
【図１１】本発明の実施例における歯の表面におけるラマン散乱光強度の波数分布を示す第２のグラフである。
【図１２】本発明の実施例における皮膚の表面におけるラマン散乱光強度の計算値ＲＰＦと皮膚提供者の年齢との関係を示すグラフである。
【図１３】本発明の実施例における皮膚の表面におけるラマン散乱光強度の計算値ＲＬＣ／ＢＭＩと皮膚提供者の年齢との関係を示すグラフである。
【図１４】本発明の実施例における骨の表面におけるラマン散乱光強度のフェニルアラニンのピーク位置とピーク強度の分布の、骨の状態による相違を示すグラフである。
【図１５】本発明の実施例における骨の表面におけるラマン散乱光強度のスフィンゴミエリンのピーク位置とピーク強度の分布の、骨の状態による相違を示す第２のグラフである。
【発明を実施するための形態】
【００３９】
以下、本発明の実施例を、図面に基づいて説明する。なお、以下に説明する実施例は、本発明を実施する一例を示すものであって、本発明を以下に説明する具体的な構成に限定するものではない。
【００４０】
〔実施例〕
＜健康管理システムの概要＞
図１は、本実施例における健康管理システム１を示す図である。健康管理システム１は、ラマン分光装置２及び携帯端末３からなる測定端末４、各種情報のデータベースを記憶しているサーバー５及び、電子カルテ等により患者の管理を行う病院端末７を有する。本実施例において、健康管理システム１は健康状態管理システムに相当する。ラマン分光装置２は分光測定装置に相当する。携帯端末３は被験者端末に相当する。サーバー５は情報処理装置に相当する。病院端末７は管理機関端末に相当する。
【００４１】
測定端末４におけるラマン分光装置２は例えば、図２のような構成を有する。図２に示すように、ラマン散乱を励起するための励起光は安定した単波長の光であることが求められるので、光源としてはレーザー光源２ａが用いられる。この励起光はミラー２ｂで反射された後、ビームスプリッター２ｄにおいて９０度曲げられ、対物光学系２ｃを通過することで被検体上に集光される。
【００４２】
そして、被検体による反射光の一部は、対物光学系２ｃ及びビームスプリッター２ｄを通過して、フィルター２ｅに入射される。ここで、被検体による反射光の一部は、レイリー散乱光等である。反射光には、その他、被検体の分子構造に応じて励起光の波数がシフトするラマン散乱によるラマン散乱光が含まれる。そして、この反射光がフィルター２ｅに入射されレイリー散乱光等がカットされる。フィルター２ｅを通過した反射光は、分光器２ｆに入射する。分光器２ｆでは、回折格子等によって反射光が波数（波長）毎に分光される。分光されたラマン散乱光は光検出器２ｇに照射される。この光検出器２ｇによってラマン散乱光を検出することができる。
【００４３】
図１の説明に戻る。本実施例における健康管理システム１では、測定端末４において携帯端末３は専用アプリをダウンロードすることで、ラマン分光装置２の制御を行うとともに、ラマン分光装置２の出力信号を取得し、サーバー５に送信することが可能となっている。さらに、携帯端末３において、専用アプリを用いて、被験者の個人データ、例えば、名前、居所、性別、年齢等をサーバー５に登録することが可能である。
【００４４】
サーバー５には、ラマン分光装置２の測定データから、被験者の歯の状態を判定する判定アルゴリズム（後述）が導入されている。また、複数の携帯端末３から送信された個人データがデータベース化され保管されている。さらに、後述するように、病院端末７によって、歯科医院の情報、例えば、名称、所在地、電子メールアドレス等が送信され、それらの歯科医院情報がサーバー５においてデータベース化され保管されている。
【００４５】
また、サーバー５からは、判定アルゴリズムにより判定された歯の状態についての判定結果データが携帯端末３及び病院端末７に送信される。さらに、サーバー５には、携帯端末３から送信された個人データと、病院端末７から送信された歯科医院の病院データを格納したデータベースとを対照し、被験者に適合した歯科医院を選択する選択アルゴリズムが格納されている。そして、サーバー５から携帯端末３へは、判定アルゴリズムにより判定された歯の状態についての判定結果データと、選択アルゴリズムにより選択された歯科医院情報が送信される。なお、選択アルゴリズムによる歯科医院の選択基準としては、被験者の居所に対する、歯科医院の所在地の近さを基準としてもよいし、歯の状態に応じた専門分野や保有設備を基準としてもよい。また、他の要因を基準としても構わない。
【００４６】
また、サーバー５と携帯端末３との間で、被験者の来院希望日についての情報を交換し、サーバー５と病院端末７との間で、予約可能日についての情報を交換することで、被験者の病院予約、受付支援を行う。そして、実際の通院の情報を携帯端末３及び病院端末７と交換することで、通院情報の管理を行うことが可能となっている。
【００４７】
また、携帯端末３から病院端末７へは、歯の状態を含めた、歯の健康管理についての相談メッセージを送信可能であり、病院端末７から携帯端末３へは、歯科医院への受診を勧める誘導メッセージを送信することが可能となっている。ここで、携帯端末３から病院端末７へ相談メッセージを送信する工程は、本実施例において付加情報送信ステップに相当する。また、病院端末７から携帯端末３へ、歯科医院への受診を勧める誘導メッセージを送信する工程は、本実施例において誘導情報送信ステップに相当する。
【００４８】
また、病院端末７には、サーバー５から歯の状態の判定結果の情報である判定結果データが送信される。病院端末７には、被験者についての電子カルテが作成・保管されている。そして、サーバー５から送信された判定結果データによって、実際に被験者が来院した際の診査の補助ができるようになっている。
【００４９】
ここで、携帯端末３は、例えば、スマートフォンであってもよい。また、携帯端末３は、タブレット端末、スマートグラス、ウェアラブルデバイス等であってもよい。サーバー５は、インターネット回線によってネットワークに接続されたコンピュータである。病院端末７は、例えば、インターネット回線によってネットワークに接続されたパーソナルコンピュータである。なお、インターネットＮの代わりに、ＬＡＮ（ＬｏｃａｌＡｒｅａ  Ｎｅｔｗｏｒｋ）、ＷＡＮ（Ｗｉｄｅ  Ａｒｅａ  Ｎｅｔｗｏｒｋ）やその他のパケット通信網が採用されてもよい。
【００５０】
＜ハードウェア構成＞
図３は、本実施例における各装置のハードウェア構成を例示する図である。図３には携帯端末３、サーバー５、及び病院端末７のハードウェア構成が示されている。
【００５１】
携帯端末３は、ＣＰＵ（Ｃｅｎｔｒａｌ Ｐｒｏｃｅｓｓｉｎｇ Ｕｎｉｔ）３１、ＲＡＭ（ＲａｎｄｏｍＡｃｃｅｓｓＭｅｍｏｒｙ）３２、ＲＯＭ（ＲｅａｄＯｎｌｙＭｅｍｏｒｙ）３３、ＳＳＤ（ＳｏｌｉｄＳｔａｔｅＤｒｉｖｅ）等の補助記憶装置３４、インターネットＮに接続される通信部３５、タッチパネル等の操作部３６、ディスプレイ等の表示部３７を備えたスマートフォン等の端末である。なお、通信部３５は、例えば、無線ＬＡＮのアクセスポイント等を介してインターネットＮに接続されるＮＩＣ（Ｎｅｔｗｏｒｋｉｎｔｅｒｆａｃｅｃｏｎｔｒｏｌｌｅｒ）の他、ＬＴＥ（ＬｏｎｇＴｅｒｍＥｖｏｌｕｔｉｏｎ）等の携帯電話通信網を介してインターネットＮと接続されてもよい。
【００５２】
ＣＰＵ３１は、中央処理装置であり、ＲＡＭ３２等に展開された命令及びデータを処理することで、ＲＡＭ３２、補助記憶装置３４等を制御する。ＲＡＭ３２は、主記憶装置であり、ＣＰＵ３１によって制御され、各種命令やデータが書き込まれ、読み出される。補助記憶装置３４は、不揮発性の記憶装置であり、各種プログラム、永続的な保存が求められるデータ等が記憶される。
【００５３】
サーバー５は、ＣＰＵ５１、ＲＡＭ５２、ＲＯＭ５３、ＨＤＤ（Ｈａｒｄ Ｄｉｓｋ Ｄｒｉｖｅ）等の補助記憶装置５４、及びゲートウェイ等を介してインターネットＮに接続される通信部５５を備えるコンピュータである。図３では、サーバー５は１台のコンピュータで例示されているが、サーバー５は、例えば、ネットワークで接続された複数台のコンピュータにより構成されてもよい。
【００５４】
病院端末７は、ＣＰＵ７１、ＲＡＭ７２、ＲＯＭ７３、ＨＤＤ等の補助記憶装置７４、及びゲートウェイ等を介してインターネットＮに接続される通信部７５、キーボードやマウス等の操作部７６、ディスプレイ等の表示部７７を備えるコンピュータである。また、図示されていないが、病院端末７は、印刷を行うプリンタと接続される。
【００５５】
＜機能構成＞
図４は、本実施形態に係る各装置の機能構成を例示する図である。図４には、携帯端末３、サーバー５、及び病院端末７の主な機能が例示されている。
【００５６】
（携帯端末３の機能）
携帯端末３においては、補助記憶装置３４に記憶された健康管理アプリケーション等のプログラムが、ＲＡＭ３２に読み出され、ＣＰＵ３１によって実行される。このことで、携帯端末３は、入力部Ｆ３１、送信部Ｆ３２、予定情報受信部Ｆ３３、第２判定情報受信部Ｆ３４、付加情報送信部Ｆ３５、誘導情報受信部Ｆ３６、個人情報送信部Ｆ３７、予約情報送信部Ｆ３８を備えるコンピュータとして機能する。
【００５７】
なお、本実施例において、携帯端末３が備える各機能は、汎用プロセッサであるＣＰＵ３１によって実行されるが、これらの機能の一部または全部は、一または複数の専用プロセッサ、ハードウェアの演算回路等によって実行されてもよい。ここで、ハードウェアの演算回路とは、例えば、論理ゲートを組み合わせた加算回路、乗算回路、フリップフロップ等をいう。また、これらの機能の一部または全部は、別途のコンピュータにおいて実行されてもよい。
【００５８】
入力部Ｆ３１において、ラマン分光装置２からの測定データが入力される。また、送信部Ｆ３２は、入力部Ｆ３１に入力された測定データをサーバー５に送信する。予定情報受信部Ｆ３３は、サーバー５の予定計画部Ｆ５４において定められ予定情報送信部Ｆ５５によって送信された被験者の健康管理の予定情報が受信される。第２判定情報受信部Ｆ３４は、サーバー５の判定部Ｆ５２において判定され判定情報送信部Ｆ５３によって送信された判定結果データを受信する。付加情報送信部Ｆ３５は、被験者の健康状態に関する付加情報を送信する。誘導情報受信部Ｆ３６は、病院端末７の誘導情報送信部Ｆ７４が送信した誘導情報を受信する。個人情報送信部Ｆ３７は、サーバー５における個人情報データベースＤ５０１に登録するために、被験者の個人データを送信する。予約情報送信部Ｆ３８は、サーバー５の予定計画部Ｆ５４において選択された歯科医院に対して、予約希望の日時を含む予約情報を送信する。
【００５９】
（サーバー５の機能）
サーバー５は、補助記憶装置５４に記憶されているプログラムが、ＲＡＭ５２に読み出され、ＣＰＵ５１によって実行されることで、個人情報データベースＤ５０１、機関情報データベースＤ５０２、判定情報データベースＤ５０３、測定情報受信部Ｆ５１、判定部Ｆ５２、判定情報送信部Ｆ５３、予定計画部Ｆ５４、予定情報送信部Ｆ５５、個人情報受信部Ｆ５６、機関情報受信部Ｆ５７、予約情報受信部Ｆ５８を備えるコンピュータとして機能する。
【００６０】
個人情報データベースＤ５０１には、一以上の携帯端末３から送信され登録された個人情報としての個人データが蓄積される。個人情報データベースＤ５０１は、個人情報記憶部に相当する。機関情報データベースＤ５０２には、一以上の病院端末７から送信された機関情報としての病院データが蓄積される。機関情報データベースＤ５０２は、機関情報記憶部に相当する。判定情報データベースＤ５０３には、測定データを演算して得られる計算値と、歯の状態との関係が格納されている。この関係は判定基準に相当する。また、判定情報データベースＤ５０３は判定基準記憶部に相当する。そして、これらのデータベースは、データベース管理システムのプログラムが、補助記憶装置５４に記憶されるデータを管理することで構築される。
【００６１】
測定情報受信部Ｆ５１は、携帯端末３の送信部Ｆ３２から送信されたラマン分光測定の測定データを受信する。判定部Ｆ５２は、測定情報受信部Ｆ５１で受信した分光測定の測定データについて、判定情報データベースＤ５０３を参照して、歯の状態を判定する。判定情報送信部Ｆ５３は、判定部Ｆ５２により判定された結果の情報である判定結果データを送信する。予定計画部Ｆ５４は、個人情報データベースＤ５０１における被験者の個人データと、機関情報データベースＤ５０２における病院データとを参照して、被験者が歯の健康管理のために通院すべき歯科医院を選択し、予定情報を作成する。予定情報送信部Ｆ５５は、予定計画部Ｆ５４で作成された予定情報を送信する。個人情報受信部Ｆ５６は、携帯端末３の個人情報送信部Ｆ３７から送信された被験者の個人データを受信する。機関情報受信部Ｆ５７は、病院端末７の機関情報送信部Ｆ７５から送信された歯科医院の病院データを受信する。予約情報受信部Ｆ５８は、携帯端末３から送信された予約希望の日時等の予約情報を受信する。
【００６２】
（病院端末７の機能）
病院端末７は、補助記憶装置７４に記憶されているプログラムが、ＲＡＭ７２に読み出され、ＣＰＵ７１によって実行されることで、判定情報受信部Ｆ７１、第２予定情報受信部Ｆ７２、付加情報受信部Ｆ７３、誘導情報送信部Ｆ７４、機関情報送信部Ｆ７５、予約情報受信部Ｆ７６を備えるコンピュータとして機能する。なお、病院端末７が備えるこれらの機能の一部または全部は、１または複数の専用プロセッサ、ハードウェアの演算回路等によって実行されてもよい。
【００６３】
判定情報受信部Ｆ７１はサーバー５の判定部Ｆ５２において判定され判定情報送信部Ｆ５３によって送信された判定結果データを受信する。第２予定情報受信部Ｆ７２は、サーバー５の予定計画部Ｆ５４において定められ予定情報送信部Ｆ５５によって送信された被験者の健康管理の予定情報が受信される。付加情報受信部Ｆ７３は、携帯端末３の付加情報送信部Ｆ３５から送信された、被験者の健康状態に関する付加情報を受信する。誘導情報送信部Ｆ７４は、サーバー５の判定情報送信部Ｆ５３から送信された判定情報に基づき、被験者に対して来院を勧めるメッセージを含んだ誘導情報を送信する。機関情報送信部Ｆ７５は、歯科医院の病院データを送信する。予約情報受信部Ｆ７６は、携帯端末３から送信された予約希望の日時等の予約情報を受信する。
【００６４】
次に、測定端末４における制御について説明する。図５は、本実施例におけるラマン分光測定が行われる際に実行される測定ルーチンのフローチャートである。この測定ルーチンは、インターネット経由でダウンロードされ、携帯端末３の補助記憶装置３４に記憶された健康管理アプリケーションの一部を構成するプログラムである。
【００６５】
本ルーチンが実行されると、まず、ステップＳ３０１において、ラマン分光装置２の起動の要求状態となり、携帯端末３には、ラマン分光装置２を起動するか否かの入力要求画面が表示される。そして、ユーザーが起動ボタンをタッチすることで、ラマン分光装置２の起動の指令が取得される。これによりレーザー光源２ａが点灯し、ラマン分光装置２は測定が可能な状態となる。ステップＳ３０１の処理が終わるとステップＳ３０２に進む。
【００６６】
ステップＳ３０２においては、測定目的の設定が要求される。より具体的には、携帯端末３には測定目的の選択肢が表示されるとともに、選択肢のうち何れかを選択を要求する画面が表示される。そして、ユーザーが適切な目的を選択することで測定目的が設定される。ステップＳ３０２の処理が終了するとステップＳ３０３に進む。
【００６７】
ステップＳ３０３においては、測定位置が設定される。より具体的には、何れの歯の何れの箇所を測定するかを選択する。ステップＳ３０３の処理が終了するとステップＳ３０４に進む。
【００６８】
ステップＳ３０４においては、実際にラマン分光装置２の励起光を、ステップＳ３０３において指定した箇所に照射し、ラマン散乱光を受信する。ラマン散乱光が受信されたことは、ラマン分光装置２の光検出器２ｇからの出力信号が閾値以上に増加することで検知される。ここでラマン散乱光が受信されたと判定されない場合にはこの処理の前に戻り、ラマン散乱光が受信されたと判定されるまで、この処理が繰り返される。ここでラマン散乱光が受信されたと判定された場合にはステップＳ３０５に進む。
【００６９】
ステップＳ３０５においては、光検出器２ｇで検出されたラマン散乱光の受光強度が所定範囲内か否かが判定される。ここでは、ラマン分光装置２の励起光は照射されているが、照射角度や距離等の関係で測定に充分な強度のラマン散乱光が得られていない場合に、照射角度や距離を変える等して、充分な受光強度が得られるように調整する。ここで所定範囲の受光強度が得られていないと判定された場合には、ステップＳ３０４の処理の前に戻り、ステップＳ３０５において所定範囲の受光強度が得られていると判定されるまで、ステップＳ３０４とステップＳ３０５の処理が繰り返し実行される。ステップＳ３０５において所定範囲の受光強度が得られた場合にはステップＳ３０６に進む。
【００７０】
ステップＳ３０６においては、他の位置について測定を継続するか否かが判定される。具体的には、携帯端末３に他の位置の測定を行うか否かの選択を促す画面が表示される。そしてユーザーがＹＥＳかＮＯかを選択することで、他の位置について測定を継続するか否かが判定される。ここでユーザーがＹＥＳを選択した場合には、ステップＳ３０３の処理に戻る。一方、ユーザーがＮＯを選択した場合にはステップＳ３０７に進む。
【００７１】
ステップＳ３０７においては測定が終了される。より具体的には、ラマン分光装置２の電源がＯＦＦされるとともに、携帯端末３の画面には測定を終了する旨の画面が表示される。ステップＳ３０７の処理が終了するとステップＳ３０８に進む。
【００７２】
ステップＳ３０８においては、サーバー５に測定結果としての測定データが送信される。ステップＳ３０８の処理が終了するとステップＳ３０９に進む。
【００７３】
ステップＳ３０９においては、サーバー５から判定情報としての判定結果データが送信され、携帯端末３において受信される。受信が終了するとステップＳ３１０に進む。ステップＳ３１０においては、携帯端末３には、歯の状態が表示される。ステップＳ３１０の処理が終了すると本ルーチンは一旦終了する。上記の測定ルーチンにおいて、ステップＳ３０１〜ステップＳ３０７までの処理は、本実施例における分光測定ステップに相当する。ステップＳ３０８の処理は、測定結果送信ステップに相当する。
【００７４】
次に、サーバー５における判定処理について説明する。図６には、本実施例における判定ルーチンのフローチャートを示す。
【００７５】
本ルーチンが実行されると、まず、ステップＳ５０１において、携帯端末３からの測定データが受信される。ステップＳ５０１の処理が終了するとステップＳ５０２に進む。ステップＳ５０２においては、個人情報データベースＤ５０１にアクセスされ、被験者が識別される。ステップＳ５０２の処理が終了するとステップＳ５０３に進む。ステップＳ５０３では判定アルゴリズムによる測定データの解析が行われる。この解析手法の詳細については後述する。ステップＳ５０３の解析によって歯の状態が解析される。ここで、測定データと判定結果データについては、日付とともに個人情報データベースＤ５０１の個人データと関連づけられて記憶される。ステップＳ５０３の処理が終了するとステップＳ５０４に進む。
【００７６】
ステップＳ５０４においては、判定結果データが携帯端末３に送信される。ステップＳ５０４の処理が終了すると本ルーチンは一旦終了する。上記の判定ルーチンにおいて、ステップＳ５０３の処理は判定ステップに相当する。ステップＳ５０４の処理は判定情報送信ステップに相当する。
【００７７】
次に、サーバー５における予定計画処理について説明する。図７には、本実施例における予定計画ルーチンのフローチャートを示す。
【００７８】
本ルーチンが実行されると、ステップＳ５１１において、被験者の個人データがサーバー５に登録される。これは、携帯端末３にダウンロードされる健康管理アプリケーションに登録機能を設けておき、ユーザーがこの登録機能の実行を選択し、被験者の個人データを携帯端末３に入力、登録指示することにより行われてもよい。この個人データの例としては、氏名、年齢、性別、居所、連絡先、病歴等を挙げることができる。連絡先としては、電話番号、ＦＡＸ番号、電子メールアドレスを例示することができる。ここで送信された個人データは、サーバー５の個人情報データベースＤ５０１のデータとして補助記憶装置５４に記憶される。ステップＳ５１１の処理が終了するとステップＳ５１２に進む。
【００７９】
ステップＳ５１２においては、歯科医院の病院データがサーバー５に登録される。これは、病院端末７において登録機能を実行させ、歯科医院の病院データを病院端末７に入力、登録指示することにより行われる。この病院データの例としては、病院の名称、所在地、専門分野、保有設備、連絡先等を挙げることができる。連絡先としては、電話番号、ＦＡＸ番号、電子メールアドレスを例示することができる。ここで送信された病院データは、サーバー５の機関情報データベースＤ５０２のデータとして補助記憶装置５４に記憶される。ステップＳ５１２の処理が終了するとステップＳ５１３に進む。
【００８０】
ステップＳ５１３においては、個人情報データベースＤ５０１における、被験者の居所と、機関情報データベースＤ５０２における、歯科医院の所在地の情報から、通院すべき歯科医院が選択される。より具体的には、被験者の居所と同じ県における歯科医院が一次選択される。これで適当な数に絞れない場合には、被験者の居所と同じ市、被験者の居所と同じ町など、範囲を狭めて適当な数に絞る。この数は複数であってもよいし一か所であってもよい。ステップＳ５１３の処理が終了するとステップＳ５１４に進む。
【００８１】
ステップＳ５１４においては、選択された歯科医院の病院データを携帯端末３に送信する。Ｓ５１４の処理が終了すると本ルーチンを一旦終了する。なお、上記の予定計画ルーチンにおいて、ステップＳ５１１の処理は個人情報送信ステップ及び個人情報記憶ステップに相当する。ステップＳ５１２の処理は機関情報送信ステップと機関情報記憶ステップに相当する。ステップＳ５１３の処理は予定計画ステップに相当する。また、ステップＳ５１４の処理は予定情報送信ステップに相当する。また、選択された歯科医院の病院データは予定情報に相当する。
【００８２】
以上の予定計画処理では、歯科医院の所在値を基準に通院すべき歯科医院が選択された。しかしながら、歯科医院の選択基準はこれに限られない。例えば、ラマン分光測定の判定結果データを参照し、判定結果に応じて要求される専門分野、あるいは、保有設備を基準に歯科医院を選択するようにしてもよい。あるいは、これらの基準を組み合わせて選択するようにしてもよい。
【００８３】
次に、通院すべき歯科医院が選択された後には、選択された歯科医院予約、受付支援をするようにしてもよい。図８には、この場合に実行される予約受付支援ルーチンのフローチャートを示す。本ルーチンが実行されると、まずステップＳ５２１において、予約情報としての、被験者の予約希望日が送信される。より具体的には、携帯端末３において、健康管理アプリケーションの実行中に、予約希望日時の入力を要求する画面が表示される。その際、希望日時１、２、３というように、優先順位づけが要求されてもよい。この予約希望日時を入力した後に、ユーザーが送信ボタンを押すことで、携帯端末３からサーバー５に予約希望日時の情報が送信される。ステップＳ５２１の処理が終了するとステップＳ５２２に進む。
【００８４】
ステップＳ５２２では、病院端末７からサーバー５に、歯科医院の予約可能日時の情報が送信される。ステップＳ５２２の処理が終了すると、ステップＳ５２３に進む。
【００８５】
ステップＳ５２３では、サーバー５でおいて、予約日時が決定される。より具体的には、携帯端末３から送信され病院端末７において受信された予約希望日時の情報について、優先順位の高い方から、病院端末７から送信された予約可能日時と参照される。そして、予約希望日時のうち、最初に予約可能日時と合致した日時が予約日時として決定される。ステップＳ５２３の処理が終了するとステップＳ５２４に進む。ステップＳ５２４において、上記の予約日時の情報は、サーバー５から携帯端末３及び病院端末７に送信される。ステップＳ５２４の処理が終了すると、本ルーチンが一旦終了する。上記の予約受付支援ルーチンにおいて、ステップＳ５２３の処理は予定計画ステップに相当する。また、ステップＳ５２４の処理は予定情報送信ステップに相当する。
【００８６】
これにより、被験者の歯の状態を管理するために、歯科医院が選択されるのみならず、予約・受付まで迅速に完了させることができる。したがって、より効率的に、被験者の健康状態の維持、改善を図ることが可能である。なお、上記の予約受付支援ルーチンでは、携帯端末３から予約希望日時が、サーバー５及び病院端末７に送付され、病院端末７において予約日時が決定され、決定された予約日時が、病院端末７からサーバー５及び携帯端末３に送信されるようにしてもよい。あるいは、病院端末７から予約可能日時が、サーバー５及び携帯端末３に送付され、携帯端末３において予約日時が決定され、決定された予約日時が、携帯端末３からサーバー５及び病院端末７に送信されるようにしてもよい。
【００８７】
また、その後、実際に被験者が歯科医院に来院した場合にはその情報を、携帯端末３または病院端末７からサーバー５に送信するようにしてもよい。サーバー５においては、その通院履歴を個人情報データベースＤ５０１及び、機関情報データベースＤ５０２と関連付けて補助記憶装置５４に記憶する。そのことで、サーバー５において、予定の進行具合、すなわち通院情報を管理することが可能となる。
【００８８】
次に、ラマン散乱光の測定データから、歯の状態を判定する判定アルゴリズムの概略について説明する。先述のように、ラマン散乱光には、励起光に対して、被検体の分子構造に応じた波数シフトが生じている。図９には、歯の表面に励起光を照射した場合のラマン散乱光の分光測定結果の例を示す。横軸は波数シフト、縦軸は規格化されたラマン散乱光の受光強度である。
【００８９】
本実施例では、以下の数式（１）で示される状態係数Ｑｔを用いて、歯のう蝕の状態を判定する。
【数１】
2019106819.tif 000003
【００９０】
ここで、Ｑｔは特定の歯の状態係数、Ｉは特定の波数シフトおけるピークの積分面積強度であり、Ｗは特定の波数シフトにおけるピークの幅であり、Ｗｒは、純粋なハイドロキシアパタイトまたは完全なエナメル質についての基準ピークの幅である。αおよびβは、サブバンドの相対強度を補正する、０以上１以下の係数である。
【００９１】
図１０には、歯の状態と、状態係数Ｑｔとの関係を示す。図１０の横軸は、歯をリン酸に浸漬させた時間（ｍｉｎ）、縦軸は状態係数Ｑｔの値である。ここではα＝１、β＝０、Ｗｒ＝９．５としている。図１０から分かるように、状態係数Ｑｔの値が、リン酸浸漬時間が長くなり、歯の表面の損傷が激しくなるにつれて大きくなっている。本実施例では、このグラフから、状態係数Ｑｔの値が０．０１以下の場合は健康、状態係数Ｑｔの値が０．０１以上０．０３以下の範囲の場合はリスクが低い状態、状態係数Ｑｔの値が０．０３以上０．１０以下の範囲の場合はリスクが高い状態、状態係数Ｑｔの値が０．１以上の場合はう蝕（虫歯）と判定する。
【００９２】
本実施例では、図１０に例示したような状態係数Ｑｔの値と、歯の状態との関係のテーブルを、サーバー５の補助記憶装置５４に判定情報データベースＤ５０３として記憶させる。この工程は本実施例において判定基準形成ステップに相当する。そして、携帯端末３から受信したラマン散乱光の測定データより、状態係数Ｑｔの値を演算し、判定情報データベースＤ５０３から、歯の状態を導出し、結果を判定結果データとして携帯端末３に送信する。よって、歯がう蝕の状態となる前の段階から、歯の健康状態を判定し、管理することが可能である。
【００９３】
なお、上記の判定アルゴリズムは、式（２）及び図１１に示すように、波数シフトが約６００ｃｍ−１の領域、特に約５８０ｃｍ−１に現れるハイドロキシアパタイトの最も強いピークと約５６０ｃｍ−１に現れるリン酸三カルシウムに関連するショルダーとの間の比を考慮に入れることで、さらに精度を上げることが可能である。
【数２】
2019106819.tif 000004
【００９４】
このように、本実施例によれば、被験者が手軽に自宅で歯の健康状態を知ることが可能である。また、被験者の居所等の個人データや判定結果データに基づいて通院すべき歯科医院の情報を得ることが可能である。さらに、通院すべき歯科医院との間で予約処理を迅速に進めることができ、効率的に歯の状態の管理を行うことが可能である。
【００９５】
なお、上記の実施例においては、本発明を歯の状態の管理に適用した例について説明した。しかしながら、本発明が適用される健康管理の対象は歯の状態に限られない。以下、ラマン散乱光の測定を利用した健康管理の他の例について説明する。
【００９６】
（皮膚の状態の管理）
ラマン散乱光の測定によって、皮膚の状態を管理する場合、例えば、以下の数式（３）が用いられる。
【数３】
2019106819.tif 000005
ここで、ＲＰＦはＩｄとＩαの強度比である。そして、Ｉｄは、波数（ｃｍ−１）が１６８１〜１６８２のバンドにおけるピークの積分面積強度であり無秩序構造（アミドＩ）におけるＣ＝Ｏ伸縮運動に対応する。また、Ｉαは、波数（ｃｍ−１）が１６５２〜１６５４のバンドにおけるピークの積分面積強度でありα−へリックス（アミドＩ）におけるＣ＝Ｏ伸縮運動に対応する。そして、ｋ１およびｋ２は試験条件、レーザー光およびラマン分光装置２の特性に依存する定数である。
【００９７】
図１２には、皮膚の提供者の年齢と強度比ＲＰＦの関係のグラフを示す。この図においては、ｋ１＝０．７７、ｋ２＝０．０１２である。このように、強度比ＲＰＦと皮膚年齢との間には明確な相関がみられる。よって、サーバー５の補助記憶装置５４において、年齢とＲＰＦの関係を示す判定情報データベースＤ５０３を記憶しておき、携帯端末３からのラマン分光測定の測定データを受信し、肌年齢を判定し、判定結果データとして携帯端末３に送信するようにしてもよい。
【００９８】
【数４】
2019106819.tif 000006
また、皮膚の状態から、ＢＭＩや肥満の状態を管理することも可能である。その場合は、以下の数式（４）及び（５）を用いてもよい。
【数５】
2019106819.tif 000007
【００９９】
ここで、ＲＬＣ１は（Ｉｈ＋ｏ＋ｃｐ）と（Ｉ１＋Ｉ５）の強度比である。ＲＬＣ２は（Ｉｈ＋ｏ）とＩｌの強度比である。そして、Ｉｈは、波数（ｃｍ−１）が２８７７〜２８７９のバンドにおけるピークの積分面積強度であり六方晶状態の脂質におけるｖｓ（ＣＨ３）に対応する。また、Ｉｏは、波数（ｃｍ−１）が２８８２〜２８８８のバンドにおけるピークの積分面積強度であり斜方晶系脂質におけるｖｓ（ＣＨ３）に対応する。Ｉｃｐは、波数（ｃｍ−１）が２９０２〜２９１０のバンドにおけるピークの積分面積強度でありコレステロールおよびリン脂質におけるｖｓ（ＣＨ２）及びｖｓ（ＣＨ３）に対応する。ｋ１、ｋ２、ｋ３は実験条件に依存する定数であり、ＢＭＩ（Ｂｏｄｙ Ｍａｓｓ Ｉｎｄｅｘ）はＲＬＣ１とＲＬＣ２の間で異なる体格指数である。
【０１００】
図１３は、強度比ＲＬＣ／ＢＭＩと、皮膚提供者の年齢との関係の例を示す図である。この図から、ＲＬＣとＢＭＩ及び、皮膚提供者の年齢との間には強い相関があることが分かる。よって、よって、サーバー５の補助記憶装置５４において、年齢とＲＬＣ１、ＲＬＣ２、ＢＭＩの関係を判定情報データベースＤ５０３として記憶しておき、携帯端末３からラマン分光結果の測定データと年齢のデータを受信し、ＢＭＩや肥満度を判定することも可能であるし、携帯端末３からラマン分光結果の測定データとＢＭＩや肥満度のデータを受信し、肌年齢を判定することも可能である。
【０１０１】
（骨の状態の管理）
図１４には、健康な骨と、骨粗鬆症の骨とについて、波数（ｃｍ−１）が１００５付近のフェニルアラニンピークについて、ラマン散乱分光法にて測定し、統計的にまとめた結果を示す。図１４から分かるように、骨粗鬆症の骨では、健康な骨に比較してフェニルアラニンピークの波数がばらつき、且つラマン散乱光強度が低下している。
【０１０２】
よって、ラマン散乱光の測定によって、骨の状態を管理する場合、例えば、以下の数式（６）〜（８）を用いてもよい。
【数６】
2019106819.tif 000008
【数７】
2019106819.tif 000009
【数８】
2019106819.tif 000010
【０１０３】
ここで、Ｉ１００５は、フェニルアラニンピークである。フェニルアラニンには広範な既知の代謝作用があり、骨におけるミネラル分の欠乏にも関連している。数式（６）〜（８）の強度比は、骨におけるコラーゲンおよびミネラルの量の管理に使用することが可能である。
【０１０４】
よって、サーバー５において、コラーゲンおよびミネラルの量あるいは、骨粗鬆症のリスクと、Ｐｃｒ、Ｐｂｒ、Ｑｃｒの関係を判定情報データベースＤ５０３として記憶しておき、携帯端末３からのラマン分光測定の測定データを受信し、コラーゲンおよびミネラルの量あるいは、骨粗鬆症のリスクを判定することも可能である。
【０１０５】
なお、骨の状態は、骨のミネラル分、生体基質の少なくとも２つ以上の主な成分の組み合わせとして評価されることができる。骨のラマンスペクトルは、多くの領域およびピークに特徴があるので、上記以外にも、ラマン分光測定によって、骨の状態を様々な方法で評価することが可能である。
【０１０６】
例えば、骨のミネラル分については、ハイドロキシアパタイトで構成されているので、歯のエナメル質の判定と同じ方法で判定することができる。あるいは、スフィンゴミエリンに関連するラマンピーク、リン脂質と関連するラマンピーク、脂質の充填や粘度に関連するラマンピークにおける強度低下からも、骨粗鬆症や骨壊死の状態についての判定を行うことが可能である。図１５には、健康な骨と、骨粗鬆症の骨とについて、スフィンゴミエリンに関連するラマンピークについて、ラマン散乱分光法にて測定し、統計的にまとめた結果を示す。図１５から分かるように、骨粗鬆症の骨では、健康な骨に比較してスフィンゴミエリンピークの波数が増加し、且つラマン散乱光強度が低下している。
【符号の説明】
【０１０７】
１・・・健康管理システム
２・・・ラマン分光装置
３・・・携帯端末
４・・・測定端末
５・・・サーバー
７・・・病院端末
【図１】
2019106819.tif 000011
【図２】
2019106819.tif 000012
【図３】
2019106819.tif 000013
【図４】
2019106819.tif 000014
【図５】
2019106819.tif 000015
【図６】
2019106819.tif 000016
【図７】
2019106819.tif 000017
【図８】
2019106819.tif 000018
【図９】
2019106819.tif 000019
【図１０】
2019106819.tif 000020
【図１１】
2019106819.tif 000021
【図１２】
2019106819.tif 000022
【図１３】
2019106819.tif 000023
【図１４】
2019106819.tif 000024
【図１５】
2019106819.tif 000025
【国際調査報告】
2019106819.tif 000026
2019106819.tif 000027
2019106819.tif 000028
2019106819.tif 000029